(57)【要約】【課題】投影された画像のピントを容易に調節できる電子機器を提供する。【解決手段】電子カメラ１で画像を投影する場合、電子カメラ１を机上などに置いて使用することが多いが、ピント調節レバー８１やズーム調節レバー８２を電子カメラ１の上面に設けたことで、ピント調節レバー８１やズーム調節レバー８２を操作しても電子カメラ１が動きにくい。これにより、ピント調節レバー８１やズーム調節レバー８２の操作がし易くなるとともに、投影している画像の位置が動きにくくなり、操作性が向上する。【選択図】図１
2008250048.tif 000002
【特許請求の範囲】
【請求項１】
被写体像を撮像する撮像手段と、
画像を投影する投影手段と、
前記投影手段によって投影された画像のピントを調節するための操作入力を受け付ける操作部材とを備え、
前記操作部材は、電子機器の筐体上面に配設されることを特徴とする電子機器。
【請求項２】
被写体像を撮像する撮像手段と、
画像を投影する投影手段と、
前記投影手段によって投影された画像のピントを調節するための操作入力を受け付ける操作部材と、
前記操作部材で受け付けて入力された操作力を伝達して、前記投影手段のピント調節用光学部材を駆動する操作力伝達手段とを備え、
前記操作部材は、電子機器の筐体上面に配設されることを特徴とする電子機器。
【請求項３】
請求項２に記載の電子機器において、
前記操作部材は、前記筐体の上面と略平行な方向に操作され、
前記操作力伝達手段は、前記操作部材の操作方向と交差する方向に前記ピント調節用光学部材を駆動することを特徴とする電子機器。
【請求項４】
請求項３に記載の電子機器において、
前記操作力伝達手段は、支点を中心に回動することで、前記操作部材で受け付けて入力された操作力を伝達して前記操作部材の操作方向と略直交する方向に前記ピント調節用光学部材を駆動することを特徴とする電子機器。
【請求項５】
請求項１〜４のいずれか一項に記載の電子機器において、
前記筐体は、略直方体形状を呈し、
前記筐体上面は、前記筐体を構成する面の中で最大の面積を有する面ではないことを特徴とする電子機器。
【発明の詳細な説明】
【技術分野】
【０００１】
本発明は、被写体像の撮影機能と、画像の投影機能とを備えた電子機器に関する。
【背景技術】
【０００２】
被写体像の撮影機能と、画像の投影機能とを備えた電子機器として、プロジェクタを備えたカメラが知られている（たとえば、特許文献１参照）。プロジェクタはカメラ本体に組み込まれており、プロジェクタ用の投影光学系を用いて画像をスクリーンに投影するように構成されている。
【０００３】
【特許文献１】特開２００５−２５０３９２号公報
【発明の開示】
【発明が解決しようとする課題】
【０００４】
しかし、従来のカメラでは、プロジェクタ用の投影光学系のピント合わせなど、投影機能に関する調整をどのように行うのかについては何も開示されていない。
【課題を解決するための手段】
【０００５】
（１）  請求項１の発明による電子機器は、被写体像を撮像する撮像手段と、画像を投影する投影手段と、投影手段によって投影された画像のピントを調節するための操作入力を受け付ける操作部材とを備え、操作部材は、電子機器の筐体上面に配設されることを特徴とする。
（２）  請求項２の発明による電子機器は、被写体像を撮像する撮像手段と、画像を投影する投影手段と、投影手段によって投影された画像のピントを調節するための操作入力を受け付ける操作部材と、操作部材で受け付けて入力された操作力を伝達して、投影手段のピント調節用光学部材を駆動する操作力伝達手段とを備え、操作部材は、電子機器の筐体上面に配設されることを特徴とする。
（３）  請求項３の発明は、請求項２に記載の電子機器において、操作部材は、筐体の上面と略平行な方向に操作され、操作力伝達手段は、操作部材の操作方向と交差する方向にピント調節用光学部材を駆動することを特徴とする。
（４）  請求項４の発明は、請求項３に記載の電子機器において、操作力伝達手段は、支点を中心に回動することで、操作部材で受け付けて入力された操作力を伝達して操作部材の操作方向と略直交する方向にピント調節用光学部材を駆動することを特徴とする。
（５）  請求項５の発明は、請求項１〜４のいずれか一項に記載の電子機器において、筐体は、略直方体形状を呈し、筐体上面は、筐体を構成する面の中で最大の面積を有する面ではないことを特徴とする。
【発明の効果】
【０００６】
本発明によれば、投影された画像のピントを容易に調節できる。
【発明を実施するための最良の形態】
【０００７】
−−−第１の実施の形態−−−
図１〜５を参照して、本発明による電子機器をカメラに適用した第１の実施の形態を説明する。図1は、本発明を適用した電子カメラ１の外観を示す図であり、図１（ａ），（ｂ），（ｃ）は、それぞれ電子カメラ１を正面、上面、背面から見た図である。説明の便宜上、電子カメラ１の上下左右方向および前後方向を各図に記載のように規定する。なお、左右方向については、撮像時にユーザが電子カメラ１を手で持って被写体に向けた際にユーザから見たときの（電子カメラ１を背面から見たときの）左右方向と一致するよう規定している。
【０００８】
この電子カメラ１は、高さ方向（上下方向）よりも幅方向（左右方向）が長く、かつ厚さ（前後方向長さ）が薄い薄型カメラであり、その前後面、上下面、および左右側面は、それぞれが互いに略平行に形成され、全体が略直方体形状をなしている。電子カメラ１のボディ１０の正面には、撮影レンズ用の窓部１０１と、被写体に光を照射する発光部１０２と、画像を投影するプロジェクタのプロジェクタ投射窓１０３とが設けられている。電子カメラ１の上面には、レリーズボタン１０４、メインスイッチボタン１０５、ピント調節レバー８１、およびズーム調節レバー８２が設けられている。
【０００９】
ボディ１０の背面には、液晶表示器１０７、および操作部材２１が設けられている。操作部材２１は、ズームボタン２１０、モードボタン２１１、切替ボタン２１２、メニューボタン２１３、削除ボタン２１４、ロータリーセレクタ２１５、およびOKボタン２１６などを含む。操作部材２１は、後述するカメラモードにおいて操作されるとともに、投影モードにおいて操作されるものが含まれている。電子カメラ１の撮像光学系は、窓部１０１から入射した被写体光束を高さ方向に屈折させる屈折光学系として構成されている。
【００１０】
レリーズボタン１０４は、レリーズ操作を行うための操作ボタンである。メインスイッチボタン１０５は、電子カメラ１の電源をオン／オフするための操作ボタンである。ピント調節レバー８１は、プロジェクタとして投影する画像のピント調節を行うためのスライド式操作レバーであり、左右方向に移動可能である。ズーム調節レバー８２は、プロジェクタとして投影する画像の拡大縮小操作（ズーム操作）、すなわち投影画角調整を行うためのスライド式操作レバーであり、左右方向に移動可能である。
【００１１】
液晶表示器１０７は、撮像して得られた画像や各種のメニュー画面を表示する表示モニタとして働くほか、撮像時に、被写体の画像（スルー画）を表示する電子ファインダとして働く。なお、スルー画は、本撮影の前段階として後述する撮像素子で繰り返し取得される予備撮影画像である。
【００１２】
ズームボタン２１０は、撮像光学系の焦点距離の変更操作を行うための操作ボタンであり、左右端の押圧操作が可能である。モードボタン２１１は、被写体像を撮像する撮影モードと、撮像して得た画像を液晶表示器１０７に表示させる再生モードとを切り替えるための操作ボタンである。切替ボタン２１２は、撮影モードまたは再生モードで動作中の電子カメラ１を、画像を投影する投影モードに切り替えるための操作ボタンである。
【００１３】
メニューボタン２１３は、電子カメラ１の各種機能を選択、設定、調節するための各メニュー画面などを液晶表示器１０７に表示させる際に操作される操作ボタンである。削除ボタン２１４は、撮像して得た画像を消去する際に操作される操作ボタン（消去ボタン）である。ロータリーセレクタ２１５は、時計方向および反時計方向に回動可能に構成された操作部材であり、たとえば、液晶表示器１０７に表示された項目の中から選択する項目を順次変更するためなどに用いられるものである。OKボタン２１６は、たとえば、ロータリーセレクタ２１５による選択操作で選択された項目を確定する際に操作される操作ボタンである。
【００１４】
図２は、電子カメラ１のブロック図である。電子カメラ１は、プロジェクタ部３０、撮像部４０、制御回路５０、メモリ６０、液晶表示器１０７、およびメモリカードインタフェース１０９を有する。また電子カメラ１は、半押しスイッチ１０４ａ、全押しスイッチ１０４ｂ、メインスイッチ１０５ａ、右ズームスイッチ２１０ａ、左ズームスイッチ２１０ｂ、モードスイッチ２１１ａ、切替スイッチ２１２ａ、メニュースイッチ２１３ａ、削除スイッチ２１４ａ、ロータリスイッチ２１５ａ、およびＯＫスイッチ２１６ａを有する。
【００１５】
制御回路５０は、制御プログラムに基づいて、電子カメラ１を構成する各部から入力される信号を用いて所定の演算を行なうなどして、電子カメラ１の各部に対する制御信号を送出して、撮影動作および投影動作の制御を行なう。なお、制御プログラムは制御回路５０内の不図示の不揮発性メモリに格納されている。
【００１６】
メモリ６０は、制御プログラムを格納するＲＯＭ、制御回路５０の作業エリアのＲＡＭ、および、各種設定値などを記憶する不揮発メモリを含むメモリである。
【００１７】
メモリカードインタフェース１０９は、メモリカード１１０が着脱可能なインタフェースである。メモリカードインタフェース１０９は、制御回路５０の制御に基づいて、画像ファイルをメモリカード１１０に書き込んだり、メモリカード１１０に記録されている画像ファイルを読み出すインタフェース回路である。メモリカード１１０はコンパクトフラッシュ（登録商標）やＳＤカードなどの半導体メモリカードである。
【００１８】
半押しスイッチ１０４ａは、レリーズボタン１０４が半押し操作されるとオン信号を制御回路５０へ出力する。全押しスイッチ１０４ｂは、レリーズボタン１０４が全押し操作されるとオン信号を制御回路５０へ出力する。右ズームスイッチ２１０ａは、ズームボタン２１０の右側端部が押圧操作されると操作信号を制御回路５０へ出力する。左ズームスイッチ２１０ｂは、ズームボタン２１０の左側端部が押圧操作されると操作信号を制御回路５０へ出力する。
【００１９】
ロータリースイッチ２１５ａは、ロータリーセレクタ２１５の回転方向および回転量に応じた操作信号を制御回路５０へ出力する。メインスイッチ１０５ａ、モードスイッチ２１１ａ、および切替スイッチ２１２ａは、メインスイッチボタン１０５、モードボタン２１１、および切替ボタン２１２が押圧操作されると操作信号をそれぞれ制御回路５０へ出力する。メニュースイッチ２１３ａ、削除スイッチ２１４ａ、およびＯＫスイッチ２１６ａは、メニューボタン２１３、削除ボタン２１４、およびOKボタン２１６が押圧操作されると操作信号をそれぞれ制御回路５０へ出力する。
【００２０】
−−−撮像部４０−−−
撮像部４０は、撮影レンズ４０１、撮像素子（イメージセンサ）４０２、レンズ駆動回路４０３、および撮影制御回路４０４を含む。イメージセンサ４０２としては、ＣＣＤやＣＭＯＳ撮像素子などが用いられる。撮影制御回路４０４は、制御回路５０からの指令によりイメージセンサ４０２およびレンズ駆動回路４０３を駆動制御するとともに、イメージセンサ４０２から出力される撮像信号（蓄積電荷信号）に対して所定の画像処理を行なう。画像処理は、ホワイトバランス処理やガンマ処理などである。
【００２１】
撮影レンズ４０１は、イメージセンサ４０２の撮像面上に被写体像を結像させる。撮影制御回路４０４は、撮影開始指示に応じてイメージセンサ４０２に撮像を開始させ、撮像終了後にイメージセンサ４０２から蓄積電荷信号を読出し、上記画像処理を施した上で画像データとして制御回路５０へ送出する。
【００２２】
レンズ駆動回路４０３は、撮影制御回路４０４から出力されるズーム調節信号に基づいて、撮影レンズ４０１を構成するズームレンズ（不図示）を光軸方向（テレ側もしくはワイド側）へ進退駆動する。
【００２３】
−−−プロジェクタ部３０−−−
図２、図３を参照して、プロジェクタ部３０について説明する。図２のブロック図、および図３のプロジェクタ部３０の構成図に示すように、プロジェクタ部３０は、投影光学系３０１、液晶パネル３０２、ＬＥＤ光源３０３、集光光学系３０４、ＰＢＳ（偏光ビームスプリッタ）ブロック３０５、投射制御回路３０６、および屈曲プリズム３０７を備える。液晶パネル３０２は、投射制御回路３０６からの駆動信号に応じて光像を生成する。なお、本実施の形態では、液晶パネル３０２として図３に示すように反射型の液晶パネルを使用する。投射制御回路３０６は、制御回路５０から出力される投影指令に応じてＬＥＤ光源３０３および液晶パネル３０２を制御する。
【００２４】
ＬＥＤ光源３０３は、白色光を射出する白色ＬＥＤであり、投射制御回路３０６を介して入力した制御回路５０の投影指令に基づいて、図３に示す光軸Ｌ１に沿って白色光を射出する。集光光学系３０４は、ＬＥＤ光源３０３から射出されて入射した白色光をほぼ平行光にしてＰＢＳブロック３０５へ向けて射出する光学系である。ＰＢＳブロック３０５は、集光光学系３０４から射出される照明光の光軸Ｌ１に対して４５度の角度をなす偏光分離部３０５ａを有する偏光ビームスプリッタである。ＰＢＳブロック３０５の面３０５ｂには、たとえば、黒色処理などの無反射処理が施される。ＰＢＳブロック３０５の図示右側面には反射型液晶素子（ＬＣＯＳ）によって構成される液晶パネル３０２が配設される。液晶パネル３０２は、赤、緑、青のフィルターが形成された複数の画素から構成され、カラーの画像を生成するように投射制御回路３０６により駆動される。
【００２５】
ＰＢＳブロック３０５へ入射された偏光光束（たとえばＰ偏光）は、ＰＢＳブロック３０５を透過して液晶パネル３０２を照明する。液晶パネル３０２の液晶層を透過する光は、液晶パネル３０２へ入射されると液晶層を図示右向きに進行し、液晶パネル３０２の反射面で反射された後、液晶層を図示左向きに進行して液晶パネル３０２から射出され、ＰＢＳブロック３０５へ再度入射される。電圧が印加された液晶層は位相板として機能するので、ＰＢＳブロック３０５へ再度入射される光は、Ｓ偏光である変調光とＰ偏光である非変調光との混合光である。ＰＢＳブロック３０５は、再入射された光束のうちＳ偏光成分である変調光のみを偏光分離部３０５ａで光軸Ｌ２に沿った方向へ反射（折り曲げる）し、上方の投影光学系３０１へ向けて射出する。
【００２６】
投影光学系３０１は、フォーカスレンズ３０１ａとズームレンズ３０１ｂとを備え、液晶パネル３０２から射出される光像を屈曲プリズム３０７へ導く。ピント調節レバー８１のスライド操作によって、フォーカスレンズが光軸Ｌ２方向へ進退駆動される。ズーム調節レバー８２のスライド操作によって、ズームレンズ３０１ｂが光軸Ｌ２方向へ進退駆動される。なお、フォーカスレンズ３０１ａおよびズームレンズ３０１ｂの駆動機構については後述する。屈曲プリズム３０６は投影光学系３０１から入射した投影光をボディ１０の正面へ偏向してプロジェクタ投射窓１０３から投影画像をボディ１０の正面に向けて投影する。
【００２７】
電子カメラ１には、上述したプロジェクタ装置（プロジェクタ部）３０が搭載されている。この電子カメラ１は正面に配設されるスクリーンなどに向けて、画像などの情報をプロジェクタ投射窓１０３から投影する。そのため、電子カメラ１は、プロジェクタ部３０により画像を投影するための投影モードと、撮像部４０により被写体像を撮像（撮影）するための撮影モード（カメラモード）と、撮像して得た画像を液晶表示器１０７に表示させる再生モードとを動作モードとして有する。
【００２８】
−−−ピント調節機構−−−
図４は、プロジェクタ部３０のピント調節機構、すなわち、フォーカスレンズ３０１ａを駆動する機構を模式的に示す図であり、図４（ａ）は電子カメラ１の正面から見た断面図であり、図４（ｂ）は、図４（ａ）のＢ−Ｂ矢視図である。フォーカスレンズ３０１ａを駆動する機構（フォーカスレンズ駆動機構）は、ピント調節レバー８１と、伝達部材８１１と、ピント調節レバー取付部材８１４とを有する。
【００２９】
ピント調節レバー８１は、上述したようにボディ１０の上面に配設されており、ボルト８２２によってピント調節レバー取付部材８１４と結合されている。ボディ１０の上面のピント調節レバー８１の配設位置近傍には、ボディ１０を貫通し、左右方向に延在する長穴１０ａが設けられている。ピント調節レバー８１は、長穴１０ａに沿って左右方向に移動可能である。また、ピント調節レバー８１の左右方向の移動距離は、長穴１０ａによって規制される。
【００３０】
ピント調節レバー取付部材８１４は、ボディ１０の内面と摺動可能に当接する上面部８１４ａと、上面部８１４ａから下方に向かって延在する下向き延在部８１４ｂとを有する。上述したようにピント調節レバー取付部材８１４にピント調節レバー８１が取り付けられると、上面部８１４ａがボディ１０の内面と摺動可能に当接することで、ピント調節レバー８１の脱落が防止される。下向き延在部８１４ｂには、略Ｕ字状の切り欠き部８１５が設けられている。
【００３１】
伝達部材８１１は、ピント調節レバー８１からの操作力を伝達して、フォーカスレンズ３０１ａを駆動するために設けられた、略Ｌ字状に形成された部材であり、腕８１１ａ，８１１ｂの交差部分でボルト８２１によってボディ１０の支持部１０ｂに回動可能に軸支されている。伝達部材８１１の図示上方に延在する腕８１１ａの上方端近傍には、後方に向かって延在するピン８１３が植設されている。ピン８１３は、ピント調節レバー取付部材８１４の下向き延在部８１４ｂに設けられた切り欠き部８１５に嵌挿されている。そのため、ピン８１３の左右方向への移動は、ピント調節レバー取付部材８１４によって規制される。
【００３２】
伝達部材８１１の左方に延在する腕８１１ｂの左端近傍には、略Ｕ字状の切り欠き部８１２が設けられている。切り欠き部８１２には、フォーカスレンズ３０１ａを保持する不図示の保持枠から前方に向かって延在するピン３１１ａが嵌挿されている。すなわち、切り欠き部８１２は、フォーカスレンズ３０１ａの上下方向への移動を規制している。
【００３３】
このように構成されるフォーカスレンズ駆動機構では、図５に示すように、ユーザによってピント調節レバー８１に操作力が加えられて、ピント調節レバー８１が右方向（図示左方向）に操作されると、ピント調節レバー８１とともにピント調節レバー取付部材８１４が右方向（図示左方向）に移動される。上述したように、ピント調節レバー取付部材８１４の切り欠き部８１５には伝達部材８１１のピン８１３が嵌挿されているので、ピント調節レバー８１が右方向（図示左方向）に操作されることで、ピン８１３が右方向へ移動する。
【００３４】
これにより、伝達部材８１１、すなわち腕８１１ａ，８１１ｂは、ボディ１０の支持部１０ｂを中心に、図示反時計方向に回動される。その結果、切り欠き部８１２がピン３１１ａを上方に駆動するので、フォーカスレンズ３０１ａは光軸Ｌ２に沿って上方に駆動される。
【００３５】
これとは逆に、ユーザによってピント調節レバー８１に操作力が加えられて、ピント調節レバー８１が左方向（図示右方向）に操作されると、ピント調節レバー８１とともにピント調節レバー取付部材８１４が左方向（図示右方向）に移動され、ピン８１３が左方向（図示右方向）へ移動する。これにより、伝達部材８１１、すなわち腕８１１ｂは、ボディ１０の支持部１０ｂを中心に、図示時計方向に回動される。その結果、切り欠き部８１２がピン３１１ａを下方に駆動するので、フォーカスレンズ３０１ａは光軸Ｌ２に沿って下方に駆動される。
【００３６】
なお、ピント調節レバー８１の操作によって駆動距離の少ないフォーカスレンズ３０１ａの位置を精度よく調節できるように、すなわち、ピント調節レバー８１の左右方向の移動距離に対して、フォーカスレンズ３０１ａの駆動距離が少なくなるように、伝達部材８１１の腕８１１ａ，８１１ｂの長さの比が定められている。
【００３７】
また、ピント調節レバー８１の操作に要する力量（操作力量）は、操作し易く、かつ、不用意にピント調節状態が変化しないように、適宜設定されている。たとえば、ボルト８２１の締め付け具合を調整して伝達部材８１１とボディ１０の支持部１０ｂとの摩擦力を変化させることで操作力量を設定してもよい。また、ピント調節レバー取付部材８１４の上面部８１４ａと、ピント調節レバー８１の下面とのボディ１０に対する接触力を適宜調整して、操作力量を設定してもよい。
【００３８】
なお、プロジェクタ部３０のズーム調節機構、すなわち、ズームレンズ３０１ｂを駆動する機構も上述したフォーカスレンズ３０１ａを駆動する機構と同じであるので、詳細な説明は省略する。
【００３９】
−−−ピント調節レバー８１およびズーム調節レバー８２について−−−
本実施の形態の電子カメラ１では、ピント調節レバー８１およびズーム調節レバー８２に関して、以下のように構成している。
【００４０】
（１）  図１（ａ）〜（ｃ）に示すように、ピント調節レバー８１およびズーム調節レバー８２は、電子カメラ１の上面の右側に設けられている。これは、ユーザが電子カメラ１の後側から右手で操作することを考慮したためである。また、電子カメラ１の略中央上部に配設された発光部１０２や、撮像部４０との干渉防止も理由の１つである。これにより、ピント調節レバー８１およびズーム調節レバー８２の操作性が向上する。
【００４１】
（２）  図１（ｂ）に示すように、ピント調節レバー８１とズーム調節レバー８２とは、電子カメラ１の上面に前後に並べて、ズーム調節レバー８２が前方に、ピント調節レバー８１が後方になるように配設されている。これは、操作の順序を考慮したためである。すなわち、一般的に投影状態を調整する際には、投影する画像の画角（大きさ）を先に調整した後にピントを調節することが多い。そのため、先に操作することになるズーム調節レバー８２を前方に配設し、後から操作することになるピント調節レバー８１をズーム調節レバー８２の後方になるように配設した。このように配設することで、最初に操作するズーム調節レバー８２が後から調節することになるピント調節レバー８１よりも右手人差し指や中指が掛かり易くなり、操作性が向上する。
【００４２】
（３）  図１（ａ）に示すように、ピント調節レバー８１の頂部（すなわち操作入力の作用面）の高さは、ズーム調節レバー８２の頂部の高さよりも高い。これは、後から操作することになるピント調節の際に、ズーム調節レバー８２に指が当たり難くするためである。これにより、一旦設定した画角が、ピント調節の際に不用意に変化し難くなり、操作性が向上する。
【００４３】
（４）  ピント調節レバー８１の操作力量は、ズーム調節レバー８２の操作力量よりも大きい。これは、ピント調整後、再び投影画角を調整する必要が生じた際に、ズーム調節レバー８２の操作時にピント調節レバー８１に指が触れても、ピント調節レバー８１が動き難くするためである。なお、ピントを先に調節し、投影画角を後から調節する場合にも、一旦調整したピントがずれ難くなる。
【００４４】
上述した第１の実施の形態の電子カメラ１では、次の作用効果を奏する。
（１）  電子カメラ１で画像を投影する場合、電子カメラ１を机上などに置いて使用することが多いが、ピント調節レバー８１やズーム調節レバー８２を電子カメラ１の上面に設けたことで、ピント調節レバー８１やズーム調節レバー８２を操作しても電子カメラ１が動きにくい。これにより、ピント調節レバー８１やズーム調節レバー８２の操作がし易くなるとともに、投影している画像の位置が動きにくくなり、操作性が向上する。
【００４５】
（２）  伝達部材８１１を介してピント調節レバー８１やズーム調節レバー８２の操作力を伝達することで、フォーカスレンズ３０１ａやズームレンズ３０１ｂを駆動してピント調整や投影画角の調整を行うように構成した。これにより、ピント調整や投影画角の調整のための専用のアクチュエータが不要となり、設計コストや製造コストを低減できる。
【００４６】
（３）  ボディ１０の支持部１０ｂに回動可能に軸支された伝達部材８１１によって、ピント調節レバー８１やズーム調節レバー８２の左右方向の操作量をフォーカスレンズ３０１ａやズームレンズ３０１ｂの上下方向の移動量に変換するように構成した。これにより、簡単な構造でピント調整や投影画角の調整ができるので、設計コストや製造コストを低減できる。
【００４７】
（４）  電子カメラ１は、高さ方向（上下方向）よりも幅方向（左右方向）が長く、かつ厚さ（前後方向長さ）が薄い薄型カメラである。そのため、上面は、ボディ１０を構成する面の中で最大の面積を有する面ではない。このように、電子カメラ１の厚さが薄いので、携帯性が向上する。
【００４８】
−−−第２の実施の形態−−−
図６，７を参照して、本発明による電子機器をカメラに適用した第２の実施の形態を説明する。以下の説明では、第１の実施の形態と同じ構成要素には同じ符号を付して相違点を主に説明する。特に説明しない点については、第１の実施の形態と同じである。本実施の形態では、主に、アクチュエータを利用してフォーカスレンズ３０１ａやズームレンズ３０１ｂを駆動する点で、第１の実施の形態と異なる。
【００４９】
図６は、第２の実施の形態の電子カメラ１の外観を示す図であり、図６（ａ），（ｂ），（ｃ）は、それぞれ電子カメラ１を正面、上面、背面から見た図である。第１の実施の形態と異なり、上面には、ピント調節レバー８１、およびズーム調節レバー８２が設けられていない。ただし、ボディ１０の背面には、ピント調節ボタン８３、およびズーム調節ボタン８４がさらに設けられている。
【００５０】
ピント調節ボタン８３は、プロジェクタとして投影する画像のピント調節を行うための操作ボタンであり、左右端の押圧操作が可能である。ズーム調節ボタン８４は、プロジェクタとして投影する画像の拡大縮小操作（ズーム操作）を行うための操作ボタンであり、左右端の押圧操作が可能である。なお、ピント調節ボタン８３およびズーム調節ボタン８４は、電子カメラ１を机上に置いたときに操作しやすいように、ボディ１０の背面の上部に上下に並べて配設されている。また、電子カメラ１が小型であり机上で動きやすいことから、調整頻度の高いピント調節ボタン８３は、ズーム調節ボタン８４の上部に設けられている。これにより、ピント調節ボタン８３およびズーム調節ボタン８４の操作性が向上する。
【００５１】
図７は、第２の実施の形態の電子カメラ１のブロック図である。電子カメラ１は、ピント調節右スイッチ８３ａ、ピント調節左スイッチ８３ｂ、ズーム調節右スイッチ８４ａ、およびズーム調節左スイッチ８４ｂをさらに有する。ピント調節右スイッチ８３ａは、ピント調節ボタン８３の右側端部が押圧操作されると操作信号を制御回路５０へ出力する。ピント調節左スイッチ８３ｂは、ピント調節ボタン８３の左側端部が押圧操作されると操作信号を制御回路５０へ出力する。
【００５２】
ズーム調節右スイッチ８４ａは、ズーム調節ボタン８４の右側端部が押圧操作されると操作信号を制御回路５０へ出力する。ズーム調節左スイッチ８４ｂは、ズーム調節ボタン８４の左側端部が押圧操作されると操作信号を制御回路５０へ出力する。制御回路５０は、各スイッチ８３ａ，８３ｂ，８４ａ，８４ｂから出力される操作信号に基づいて投射制御回路３０６に制御信号を出力する。
【００５３】
プロジェクタ部３０は、レンズ駆動回路３００と、アクチュエータ８３０，８４０とをさらに備えている。レンズ駆動回路３００は、投射制御回路３０６から出力されるフォーカス調節信号に基づいて、フォーカスレンズ３０１ａを光軸Ｌ２方向へ進退駆動するようにアクチュエータ８３０を制御する。レンズ駆動回路３００はさらに、投射制御回路３０６から出力されるズーム調節信号に基づいて、ズームレンズ３０１ｂを光軸Ｌ２方向へ進退駆動するようにアクチュエータ８４０を制御する。なお、投射制御回路３０６は、制御回路５０から出力される制御信号に基づいて、フォーカス調節信号やズーム調節信号をレンズ駆動回路３００に出力する。
【００５４】
上述したように、アクチュエータ８３０は、フォーカスレンズ３０１ａを光軸Ｌ２方向へ進退駆動するためのアクチュエータであり、アクチュエータ８４０は、ズームレンズ３０１ｂを光軸Ｌ２方向へ進退駆動するためのアクチュエータである。
【００５５】
このように構成された第２の実施の形態の電子カメラ１では、ピント調節ボタン８３の右側端部または左側端部を押圧することで、フォーカスレンズ３０１ａがアクチュエータ８３０によって光軸Ｌ２方向へ進退駆動されるので、投影画像のピントを容易に調整できる。また、ズーム調節ボタン８４の右側端部または左側端部を押圧することで、ズームレンズ３０１ｂがアクチュエータ８４０によって光軸Ｌ２方向へ進退駆動されるので、投影画像の画角を容易に調整できる。
【００５６】
また、アクチュエータ８３０，８４０を利用してフォーカスレンズ３０１ａやズームレンズ３０１ｂを駆動するように構成したので、第１の実施の形態とは異なり、伝達部材８１１の配設位置との関係でピント調節ボタン８３およびズーム調節ボタン８４の配設位置が制限されることがなく、設計の自由度が広がり、配置設計が容易になる。また、操作性を優先してピント調節ボタン８３およびズーム調節ボタン８４を配設出来るようになるので、操作性が向上する。
【００５７】
−−−変形例−−−
（１）  上述した第１の実施の形態では、ピント調節レバー８１とズーム調節レバー８２とを電子カメラ１の上面に前後に並べて配設しているが、本発明はこれに限定されない。たとえば、図８に示すように、ピント調節レバー８１とズーム調節レバー８２とを電子カメラ１の上面に左右に並べて配設してもよい。この場合には、ピント調節レバー８１を右側に、ズーム調節レバー８２を左側に配設することが望ましい。たとえば、ユーザが電子カメラ１の背面から右手の指で操作した際に、一般的には先に操作することになるズーム調節レバー８２が奥に、後から操作することになるピント調節レバー８１が手前になるため、一旦設定した画角が、ピント調節の際に不用意に変化し難くなり、操作性が向上する。
【００５８】
また、第１の実施の形態と同様に、ピント調節レバー８１の頂部の高さを、ズーム調節レバー８２の頂部の高さよりも高くしてもよい（図８（ａ），（ｃ））。これにより、後から操作することになるピント調節の際に、ズーム調節レバー８２に指が当たり難くなり、一旦設定した画角が、ピント調節の際に不用意に変化し難くなるので、操作性が向上する。
【００５９】
さらに、第１に実施の形態と同様の理由から、ピント調節レバー８１の操作力量をズーム調節レバー８２の操作力量よりも大きくしてもよい。
【００６０】
（２）  上述した第２の実施の形態では、ピント調節ボタン８３およびズーム調節ボタン８４は、ボディ１０の背面の右側上部に上下に並べて配設されているが、本発明はこれに限定されない。たとえば、図９に示すように、ピント調節ボタン８３およびズーム調節ボタン８４をボディ１０の背面の右側上部に左右に並べて配設してもよい。なお、この場合には、ズーム調節ボタン８４を左に、ピント調節ボタン８３を右に配設することが望ましい。たとえば、ユーザが電子カメラ１の背面から右手の指で操作した際に、一般的には先に操作することになるズーム調節ボタン８４が奥に、後から操作することになるピントピント調節ボタン８３が手前になるため、一旦設定した画角が、ピント調節の際に不用意に変化し難くなり、操作性が向上する。
【００６１】
（３）  上述した第２の実施の形態では、ピント調節ボタン８３およびズーム調節ボタン８４の頂部の高さや押圧操作に要する力量（操作力量）については特に言及していないが、たとえば、第１に実施の形態と同様に、ピント調節ボタン８３の頂部の高さを、ズーム調節ボタン８４の頂部の高さよりも高くしてもよい。これにより、後から操作することになるピント調節の際に、ズーム調節ボタン８４に指が当たり難くなり、一旦設定した画角が、ピント調節の際に不用意に変化し難くなるので、操作性が向上する。また、第１の実施の形態と同様の理由から、ピント調節ボタン８３の操作力量をズーム調節ボタン８４の操作力量よりも大きくしてもよい。
【００６２】
（４）  上述した第２の実施の形態では、投影画角の調節用に専用のズーム調節ボタン８４を設けているが、本発明はこれに限定されない。たとえば、図１０（ａ）〜（ｃ）に示すように、ズーム調節ボタン８４を廃し、ズームボタン２１０で兼用するようにしてもよい。すなわち、カメラモードで動作中、制御回路５０は、右ズームスイッチ２１０ａまたは左ズームスイッチ２１０ｂからの操作信号を受信すると、撮影制御回路４０４に制御信号を出力し、投影モードで動作中、制御回路５０は、右ズームスイッチ２１０ａまたは左ズームスイッチ２１０ｂからの操作信号を受信すると、投射制御回路３０６に制御信号を出力する。これにより操作ボタンの数を減らすことができ、配置設計が容易になるとともに、製造コストも引き下げられる。
【００６３】
なお、この場合には、撮像時のズーム操作の操作性を考慮して、ズームボタン２１０を右に、ピント調節ボタン８３を左に配設することが望ましい（図１０（ｃ））。
【００６４】
さらに、ピント調節ボタン８３も廃し、投影モードで動作中にズームボタン２１０の操作によって投影画像のピント調整および画角調整を行うように構成してもよい。これにより、撮像時の焦点距離調節と、投影時のピント調節および投影画角調節とを１つの操作部材（ズームボタン２１０）で実施可能となる。この場合には、投影モードで動作中のズームボタン２１０の操作によって投影画像のピント調整を行うのか画角調整を行うのかを切り替える操作が必要となる。たとえば専用の切替ボタンを別途設け、投影モードで動作中にこの切替ボタンを押圧することで、ズームボタン２１０の操作によって投影画像のピント調整を行うのか画角調整を行うのかを切り替えるようにしてもよい。
【００６５】
また、撮像時の焦点距離調節と、投影時のピント調節および投影画角調節とを１つの操作部材（ズームボタン２１０）で実施可能に構成した場合に、電子カメラ１が撮像と投影とを同時に実行可能なモードに設定された際、ズームボタン２１０が操作されると撮像時の焦点距離調節がなされるように構成してもよい。そして、上述した専用の切替ボタンを押圧することで、ズームボタン２１０の操作によって投影画像のピント調整を行うのか、画角調整を行うのか、撮像時の焦点距離調節を行うのかを切り替えるようにしてもよい。
【００６６】
このように、１つの操作部材（ズームボタン２１０）で複数の項目の調整を実施可能に構成した場合には、たとえば、撮像時の焦点距離調節の際には、ズームボタン２１０の操作に対するズームレンズの駆動レスポンスが良好となるように設定してもよい。また、投影時のピント調節および投影画角調節の際には、ズームボタン２１０の操作に対する各レンズの駆動レスポンスが緩慢となるように設定してもよい。これにより、撮像時には素早く焦点距離を変更できるようになり、シャッターチャンスに強くなる。また、投影時には各レンズ３０１ａ，３０１ｂの動きが緩慢となるため、投影画像のピントや画角を調節しやすくなる。
【００６７】
（５）  上述の説明では、被写体像の撮影機能と、画像の投影機能とを有する電子機器の一例として電子カメラ１について説明したが、本発明は、電子カメラに限定されない。たとえば、被写体像の撮影機能と、画像の投影機能とを有する携帯可能なテレビや、画像再生装置、携帯電話機、ＰＤＡ、ノートＰＣなど各種の電子機器に適用可能である。
（６）  上述した各実施の形態および変形例は、それぞれ組み合わせてもよい。
【図面の簡単な説明】
【００６８】
【図１】第１の実施の形態の電子カメラ１の外観図である。
【図２】第１の実施の電子カメラ１のブロック図である。
【図３】プロジェクタ部３０の構成図である。
【図４】フォーカスレンズ３０１ａを駆動する機構を模式的に示す図である。
【図５】フォーカスレンズ３０１ａの駆動状態を模式的に示す図である。
【図６】第２の実施の形態の電子カメラ１の外観図である。
【図７】第２の実施の電子カメラ１のブロック図である。
【図８】変形例を示す図である。
【図９】変形例を示す図である。
【図１０】変形例を示す図である。
【符号の説明】
【００６９】
１  電子カメラ                    ３０  プロジェクタ装置（プロジェクタ部）
４０  撮像部                      ５０  制御回路
６０  メモリ                      ８１  ピント調節レバー
８２  ズーム調節レバー            ８３  ピント調節ボタン
８４  ズーム調節ボタン            ８３ａ  ピント調節右スイッチ
８３ｂ  ピント調節左スイッチ      ８４ａ  ズーム調節右スイッチ
８４ｂ  ズーム調節左スイッチ      １０７  液晶表示器
３００  レンズ駆動回路            ３０６  投射制御回路
３０１ａ  フォーカスレンズ        ３０１ｂ  ズームレンズ
８１１  伝達部材                  ８３０，８４０  アクチュエータ
【図１】
2008250048.tif 000003
【図２】
2008250048.tif 000004
【図３】
2008250048.tif 000005
【図４】
2008250048.tif 000006
【図５】
2008250048.tif 000007
【図６】
2008250048.tif 000008
【図７】
2008250048.tif 000009
【図８】
2008250048.tif 000010
【図９】
2008250048.tif 000011
【図１０】
2008250048.tif 000012